(57)【要約】      （修正有）【課題】  事務用机などの家具本体に対しレール材を簡単に取付けられ、従って、取付け作業の煩雑さを回避した机などの家具の引出し装置を提供する。【解決手段】  引出しＢを摺動自在に支持する一対の、相対するレール材１，１を、該レール材１の上側に重ね合わせた接続材２，２´で互いに一体的に組付けてレール枠Ａを構成し、該レール枠Ａの前記接続材２，２´に、該接続材２，２´の上側に位置する天板などの家具本体材に止着杆などで止着する取付孔６，６´を設ける。【選択図】図３
2006149613.tif 000002
【特許請求の範囲】
【請求項１】
引出しを摺動自在に支持する一対の、相対するレール材を、該レール材の上側に重ね合わせた接続材で互いに一体的に組付けてレール枠を構成し、該レール枠の前記接続材に、該接続材の上側に位置する天板などの家具本体材に止着する取付孔を設けた、机などの家具の引出し装置。
【請求項２】
引出しの適所に錠装置を収納し、該錠装置の錠片が係離する錠受をレール枠に設けた、請求項１記載の、机などの家具の引出し装置。
【発明の詳細な説明】
【技術分野】
【０００１】
本発明は、事務机やキャビネットなどの家具の引出し装置に関するものである。
【背景技術】
【０００２】
事務机やキャビネットなどの家具に引出しを設ける場合、該引出しを家具に突出自在に収納するためにこれを支持するレールを必要とするが、該レールを家具本体に設けるには、引出し収納部を構成する家具本体側に設けた相対する一対の側板の内面にブラケットを取付け、該ブラケットに当該レールを取付けるようにしているのが一般である（例えば、特許文献１）。
【０００３】
【特許文献１】特開２０００−２７９２４６号公報
【発明の開示】
【発明が解決しようとする課題】
【０００４】
前記従来構造のものは、引出した家具本体から引き出す方向に沿って支持する左右のレールが、互いに別体の状態で、前記の通り、引出し収納部を構成する側板に取付けるため、左右のレール同士を相対する位置にする配置作業が煩雑である。
【０００５】
本発明は、斯様な従来例の欠点に着目し、家具本体に対しレール材を、従って、引出しを容易に設けることのできる引出し装置を提供することを目的として創案したものである。
【課題を解決するための手段】
【０００６】
引出しを摺動自在に支持する一対の、相対するレール材を、該レール材の上側に重ね合わせた接続材で互いに一体的に組付けてレール枠を構成し、該レール枠の前記接続材に、該接続材の上側に位置する天板などの家具本体材に止着する取付孔を設けたことを基本的手段とし、また引出しの適所に錠装置を収納し、該錠装置の錠片が係離する錠受をレール枠に設けた構成を付加することにより、家具本体に二次加工を施すことなく、防犯効果の期待できる引出し装置を得ることができる。
【発明の効果】
【０００７】
本発明によれば、左右のレール材は接続材によって互いに一体的となっているから相対的な位置関係は常に一定であり、従って、取付孔を利用して好むところに止着することにより自在に引出し装置を得ることができ、レール材同士の位置合わせ等煩雑な取付け作業を省略することができ、また、取付空間が有りさえすれば既存の家具に引出し装置を容易に設けることもでき、実用的である。
【実施例】
【０００８】
図面は、本発明に係る机などの家具の引出し装置の一実施例を示し、図１は一部欠截平面図、図２は一部欠截拡大正面図、図３は引出しを引き出して示したレール枠の一部欠截平面図である。
【０００９】
本発明に係る机などの木製家具の引出し装置は、レール枠Ａと該レール枠Ａに摺嵌した引出しＢとで構成するものである。
【００１０】
レール枠Ａは、相対する一対のレール材１，１を、上部片２ａ，２´ａを該レール材１，１の上側に配した、前後一対の接続片２，２´で互いに一体的に組付けて成り、レール材１は、主体部片１ａと該主体部片１ａの上下両端に相対して連設した上下のレール部片１ｂ，１ｂ´で成り、上下のレール部片１ｂ，１ｂ´に長手方向に沿って相対設した凹溝に図示省略した仲介レールに転動自在に支持させた転球３，…の一半を係合させ、他の一半を係合させた前記引出しＢ側のレール材４を摺嵌させて組付けたものである。
【００１１】
前記接続材２，２´は、横方向に長い前記上部片２ａ，２´ａの相対する両端に側部片２ｂ，２ｂ、２´ｂ，２´ｂを相対設し、該側部片２ｂ，２´ｂの下端に前記上部片２ａ，２´ａに上下方向に相対する下部片２ｃ，２´ｃを連設して構成したもので、この前後の接続片２，２´の前記側部片２ｂ，２´ｂの内側に前記レール材１，１を配し、該レール材１の前記主体部片１ａを側部片２ｂ，２´ｂとを互いにかしめ止め１６して前記レール枠Ａとしたものである。
【００１２】
相対して配置した一対のレール材１，１を前後の接続片２，２´で，前記の通り、互いに組付けて構成したレール枠Ａの、レール材１の上側に位置する前側接続片２の上部片２ａの、前記レール材１より外れる位置にして螺子釘５を貫通する取付孔６を、また、同じくレール材１の上側に位置する後側接続片２´の上部片２´ａの、前記レール材１より外れる位置には螺子釘５を貫通させるための、前後に長い取付孔６´をそれぞれ設け、これら取付孔６，６´を利用してレール枠Ａはその上方に位置する事務用机の木製天板ｄに止着して取り付けた（取り付ける）ものである。
【００１３】
引出しＢは、上面開口の方形皿状体で成り、物品収容部７を構成する左右の側壁部片８，８の前後両端を部分的に方形の厚肉にして取付部９を設け、該取付部９，９に、主体部片４ａの上下両端に上下のレール部片４ｂ，４ｂ´を相対して連設して構成した前記レール材４を、主体部片４ａに突設した取付け部片４ｃにおいてねじで止着して取付け、該レール材４の前記上下のレール部片４ｂ，４ｂ´に設けた長手方向に沿う凹溝に前記転球３，…の他の一半を係合させるようにして前記レール材１，１に摺嵌、支持させたものである。
【００１４】
また、この引出しＢの前記物品収容部７の前方側の一隅には錠装置１０を収脱可能に収納する錠室７Ａを設け、該錠室７Ａに収納した錠装置１０の鍵穴１０ａが、引出しＢの前面側に露出するように前記物品収容部７を構成する前壁部１１に窓孔１２を設ける一方、この鍵穴１０ａに係合した鍵によって錠装置１０の錠片１０Ａが一方の前記側壁部片８の前端側に設けた出入孔１８を通じて係離する錠受１３をレール枠Ａを構成する前側接続材２の一方の下部片２ｃに連設した前記起立部片２ｄの基部に設けてある。
【００１５】
実施例の錠受１３は、前記下部片２ｃとこれに連設した前記起立部片２ｄにかけて設けた透孔で構成するが、凹入部で構成しても良く、実施例の場合は、透孔で成る錠受１３内に前記錠片１０Ａが係合した状態を外部（下側）から視認させないため、当該透孔（錠受１３）の直下に位置する隠し片１９を一方の前記側壁部片８の先端に突設してある。
【００１６】
なお、錠室７Ａは錠装置１０の収納有無に係らず、その開口上面を蓋材２０で閉塞するようにしてある。
【００１７】
また、天板が木製に代る金属製の場合はタッピングねじを用いる等して取付孔６，６´を利用して当該天板にレール枠を取付けることができる。
【図面の簡単な説明】
【００１８】
【図１】一部欠截平面図。
【図２】一部欠截拡大正面図。
【図３】引出しを引き出して示したレール枠の一部欠截平面図。
【符号の説明】
【００１９】
１          レール材
２，２´    接続材
６，６´    取付孔
Ａ          レール枠
Ｂ          引出し
【図１】
2006149613.tif 000003
【図２】
2006149613.tif 000004
【図３】
2006149613.tif 000005